(57)【要約】【課題】所定期間内に用いられたクエリにおいて、期間の後半になるにつれて段階的に検索数が上昇又は下降しているクエリを抽出できる装置及び方法を提供すること。【解決手段】クエリ判定装置１０は、分割部１４３により、所定期間を隣り合う期間同士の一部が重複するように複数の期間に分割し、第１順位付与部１４４により、複数の期間それぞれの日付ごとの検索数に対して、当該日付の新しいほうから古いほうに順位を付与し、第２順位付与部１４５により、複数の期間それぞれの日付ごとの検索数に対して、検索数が多い順に順位を付与し、算出部１４６により、複数の期間それぞれにおいて、順位相関係数を算出し、判定部１４７により、複数の期間それぞれの順位相関係数が全て第１の値以上である場合、クエリを徐々に検索数が上昇しているクエリと判定し、全て第２の値以下である場合、クエリを徐々に検索数が下降しているクエリと判定する。【選択図】図１
2011180722.tif 000002
【特許請求の範囲】
【請求項１】
所定期間に検索に用いられたクエリが、徐々に検索数が上昇又は下降しているかを判定するクエリ判定装置であって、
前記クエリと、当該クエリが検索に用いられた日付とを関連付けたデータを検索ログとして記憶する検索ログ記憶手段と、
クエリの入力を受け付ける受付手段と、
前記検索ログ記憶手段を参照して、前記受付手段により受け付けられた前記クエリの前記所定期間における検索数を日付ごとに集計する集計手段と、
前記所定期間を、隣り合う期間同士の一部が重複するように複数の期間に分割する分割手段と、
前記複数の期間それぞれの日付ごとの前記検索数に対して、当該日付の新しいほうから古いほうに順位を付与する第１順位付与手段と、
前記複数の期間それぞれの日付ごとの前記検索数に対して、当該検索数が多い順に順位を付与する第２順位付与手段と、
前記複数の期間それぞれにおいて、前記第１順位付与手段により付された順位と、前記第２順位付与手段により付された順位との順位相関係数を算出する算出手段と、
前記算出手段により算出された前記複数の期間それぞれの順位相関係数が全て第１の値以上である場合、前記クエリを徐々に検索数が上昇しているクエリと判定し、全て第２の値以下である場合、前記クエリを徐々に検索数が下降しているクエリと判定する判定手段と、を備えるクエリ判定装置。
【請求項２】
所定期間に検索に用いられたクエリが、徐々に検索数が上昇又は下降しているかを判定するクエリ判定装置であって、
前記クエリと、当該クエリが検索に用いられた日付とを関連付けたデータを検索ログとして記憶する検索ログ記憶手段と、
クエリの入力を受け付ける受付手段と、
前記検索ログ記憶手段を参照して、前記受付手段により受け付けられた前記クエリの前記所定期間における検索数を日付ごとに集計するとともに、全てのクエリの検索数を日付ごとに集計し、前記所定期間における日付ごとの検索数を、全てのクエリの日付ごとの検索数で除算して、前記所定期間におけるクエリの日付ごとのシェア率を算出する集計手段と、
前記所定期間を、隣り合う期間同士の一部が重複するように複数の期間に分割する分割手段と、
前記複数の期間それぞれの日付ごとの前記シェア率に対して、当該日付の新しいほうから古いほうに順位を付与する第１順位付与手段と、
前記複数の期間それぞれの日付ごとの前記シェア率に対して、当該シェア率が多い順に順位を付与する第２順位付与手段と、
前記複数の期間それぞれにおいて、前記第１順位付与手段により付された順位と、前記第２順位付与手段により付された順位との順位相関係数を算出する算出手段と、
前記算出手段により算出された前記複数の期間それぞれの順位相関係数が全て第１の値以上である場合、前記クエリを徐々に検索数が上昇しているクエリと判定し、全て第２の値以下である場合、前記クエリを徐々に検索数が下降しているクエリと判定する判定手段と、を備えるクエリ判定装置。
【請求項３】
所定期間に検索に用いられたクエリと、当該クエリが検索に用いられた日付とを関連付けたデータを検索ログとして記憶する検索ログ記憶手段を備えるクエリ判定装置が、クエリが徐々に検索数が上昇又は下降しているかを判定する方法であって、
クエリの入力を受け付ける受付ステップと、
前記検索ログ記憶手段を参照して、前記受付ステップにより受け付けられた前記クエリの所定期間における検索数を日付ごとに集計する集計ステップと、
前記所定期間を、隣り合う期間同士の一部が重複するように複数の期間に分割する分割ステップと、
前記複数の期間それぞれの日付ごとの前記検索数に対して、当該日付の新しいほうから古いほうに順位を付与する第１順位付与ステップと、
前記複数の期間それぞれの日付ごとの前記検索数に対して、当該検索数が多い順に順位を付与する第２順位付与ステップと、
前記複数の期間それぞれにおいて、前記第１順位付与ステップにより付された順位と、前記第２順位付与ステップにより付された順位との順位相関係数を算出する算出ステップと、
前記算出ステップにより算出された前記複数の期間それぞれの順位相関係数が全て第１の値以上である場合、前記クエリを徐々に検索数が上昇しているクエリと判定し、全て第２の値以下である場合、前記クエリを徐々に検索数が下降しているクエリと判定する判定ステップと、を含む方法。
【発明の詳細な説明】
【技術分野】
【０００１】
本発明は、クエリ抽出装置及びその方法に関する。
【背景技術】
【０００２】
従来、検索システムに入力される検索用のクエリについて、この検索システムを利用する複数のユーザが注目しているクエリを抽出する方法が提案されている。
例えば、検索システムに入力されたクエリを集計して、このクエリごとの検索数を集計し、この集計結果のうち、最も出現頻度の高いクエリ又はこのクエリと類似するクエリを抽出する方法が提案されている（例えば、特許文献１参照）。
【０００３】
特許文献１で提案される方法は、検索システムにクエリが入力された日時を限定して、所定期間内に入力されたクエリを集計することで、当該期間内において、世の中で注目や関心を集めているクエリを抽出することができる。
【先行技術文献】
【特許文献】
【０００４】
【特許文献１】特開２００４−０１３４１７号公報
【発明の概要】
【発明が解決しようとする課題】
【０００５】
しかしながら、特許文献１で提案される方法では、所定期間内において、検索数が徐々に増加したクエリや、徐々に減少したクエリといった情報を扱うことができない。このため、特許文献１で提案される方法では、所定期間における使用数は高いものの、期間の序盤で使用数が多く、期間の終盤で使用数が少ないクエリを抽出する場合がある。この場合、既に使用されなくなりつつあるクエリを抽出してしまうので、例えば、このクエリに関連付けられた広告を配信しても、十分に効果が得られないおそれがある。
【０００６】
本発明は、所定期間内に検索に用いられたクエリの検索数が、徐々に上昇又は下降しているかを判定できる装置及び方法を提供することを目的とする。
【課題を解決するための手段】
【０００７】
本発明に係るクエリ判定装置は、所定期間に検索に用いられたクエリが、徐々に検索数が上昇又は下降しているかを判定するクエリ判定装置であって、前記クエリと、当該クエリが検索に用いられた日付とを関連付けたデータを検索ログとして記憶する検索ログ記憶手段と、クエリの入力を受け付ける受付手段と、前記検索ログ記憶手段を参照して、前記受付手段により受け付けられた前記クエリの前記所定期間における検索数を日付ごとに集計する集計手段と、前記所定期間を、隣り合う期間同士の一部が重複するように複数の期間に分割する分割手段と、前記複数の期間それぞれの日付ごとの前記検索数に対して、当該日付の新しいほうから古いほうに順位を付与する第１順位付与手段と、前記複数の期間それぞれの日付ごとの前記検索数に対して、当該検索数が多い順に順位を付与する第２順位付与手段と、前記複数の期間それぞれにおいて、前記第１順位付与手段により付された順位と、前記第２順位付与手段により付された順位との順位相関係数を算出する算出手段と、前記算出手段により算出された前記複数の期間それぞれの順位相関係数が全て第１の値以上である場合、前記クエリを徐々に検索数が上昇しているクエリと判定し、全て第２の値以下である場合、前記クエリを徐々に検索数が下降しているクエリと判定する判定手段と、を備える。
【０００８】
この発明によれば、クエリ判定装置は、分割手段により、所定期間を隣り合う期間同士の一部が重複するように複数の期間に分割する。続いて、クエリ判定装置は、第１順位付与手段により、複数の期間それぞれの日付ごとの検索数に対して、当該日付の新しいほうから古いほうに順位を付与し、第２順位付与手段により、複数の期間それぞれの日付ごとの検索数に対して、検索数が多い順に順位を付与する。続いて、クエリ判定装置は、算出手段により、複数の期間それぞれにおいて、第１順位付与手段により付された順位と、第２順位付与手段により付された順位との順位相関係数を算出する。続いて、クエリ判定装置は、判定手段により、算出手段により算出された複数の期間それぞれの順位相関係数が全て第１の値以上である場合、クエリを徐々に検索数が上昇しているクエリと判定し、全て第２の値以下である場合、クエリを徐々に検索数が下降しているクエリと判定する。
【０００９】
つまり、クエリ判定装置は、所定期間を複数の期間に分割して順位相関係数を算出し、これらの順位相関係数が第１の値以上（又は第２の値以下）であるかを判定するので、所定期間において、急激に検索数が上昇したり下降したりするクエリを除外できる。よって、クエリ判定装置は、検索数が徐々に上昇しているクエリを精度よく判定できる。
また、クエリ判定装置は、隣り合う期間同士の一部が重複するように所定期間を複数の期間に分割するので、期間の区切りの部分における順位の相関も精度よく算出できる。
【００１０】
本発明に係るクエリ判定装置は、所定期間に検索に用いられたクエリが、徐々に検索数が上昇又は下降しているかを判定するクエリ判定装置であって、前記クエリと、当該クエリが検索に用いられた日付とを関連付けたデータを検索ログとして記憶する検索ログ記憶手段と、クエリの入力を受け付ける受付手段と、前記検索ログ記憶手段を参照して、前記受付手段により受け付けられた前記クエリの前記所定期間における検索数を日付ごとに集計するとともに、全てのクエリの検索数を日付ごとに集計し、前記所定期間における日付ごとの検索数を、全てのクエリの日付ごとの検索数で除算して、前記所定期間におけるクエリの日付ごとのシェア率を算出する集計手段と、前記所定期間を、隣り合う期間同士の一部が重複するように複数の期間に分割する分割手段と、前記複数の期間それぞれの日付ごとの前記シェア率に対して、当該日付の新しいほうから古いほうに順位を付与する第１順位付与手段と、前記複数の期間それぞれの日付ごとの前記シェア率に対して、当該シェア率が多い順に順位を付与する第２順位付与手段と、前記複数の期間それぞれにおいて、前記第１順位付与手段により付された順位と、前記第２順位付与手段により付された順位との順位相関係数を算出する算出手段と、前記算出手段により算出された前記複数の期間それぞれの順位相関係数が全て第１の値以上である場合、前記クエリを徐々に検索数が上昇しているクエリと判定し、全て第２の値以下である場合、前記クエリを徐々に検索数が下降しているクエリと判定する判定手段と、を備える。
【００１１】
この発明によれば、クエリ判定装置は、クエリの日付ごとのシェア率を算出し、シェア率の多い順に順位を付与し、この順位を用いて順位相関係数を算出するので、所定期間において、他のクエリの上昇又は下降に対して相対的に、徐々に上昇又は下降しているクエリであるか否かを判定できる。
【００１２】
本発明に係るクエリを判定する方法は、所定期間に検索に用いられたクエリと、当該クエリが検索に用いられた日付とを関連付けたデータを検索ログとして記憶する検索ログ記憶手段を備えるクエリ判定装置が、クエリが徐々に検索数が上昇又は下降しているかを判定する方法であって、クエリの入力を受け付ける受付ステップと、前記検索ログ記憶手段を参照して、前記受付ステップにより受け付けられた前記クエリの所定期間における検索数を日付ごとに集計する集計ステップと、前記所定期間を、隣り合う期間同士の一部が重複するように複数の期間に分割する分割ステップと、前記複数の期間それぞれの日付ごとの前記検索数に対して、当該日付の新しいほうから古いほうに順位を付与する第１順位付与ステップと、前記複数の期間それぞれの日付ごとの前記検索数に対して、当該検索数が多い順に順位を付与する第２順位付与ステップと、前記複数の期間それぞれにおいて、前記第１順位付与ステップにより付された順位と、前記第２順位付与ステップにより付された順位との順位相関係数を算出する算出ステップと、前記算出ステップにより算出された前記複数の期間それぞれの順位相関係数が全て第１の値以上である場合、前記クエリを徐々に検索数が上昇しているクエリと判定し、全て第２の値以下である場合、前記クエリを徐々に検索数が下降しているクエリと判定する判定ステップと、を含む。
【００１３】
この方法によれば、（１）に係る発明と同様の効果を奏する。
【発明の効果】
【００１４】
本発明によれば、所定期間内に検索に用いられたクエリが、期間の後半になるにつれて段階的に検索数が上昇又は下降しているかを判定できる装置及び方法を提供できる。
【図面の簡単な説明】
【００１５】
【図１】第１実施形態に係るクエリ判定装置の機能構成図を示す図である。
【図２】第１実施形態に係る検索ログＤＢを示す図である。
【図３】第１実施形態に係る制御部における処理を示すフローチャートである。
【図４】第２実施形態に係るクエリ判定装置の機能構成図を示す図である。
【図５】第２実施形態に係る制御部における処理を示すフローチャートである。
【図６】第３実施形態に係るクエリ判定装置の機能構成図を示す図である。
【図７】第３実施形態に係る制御部における処理を示すフローチャートである。
【発明を実施するための形態】
【００１６】
［第１実施形態］
以下、本発明の実施形態の一例である第１実施形態について図面を参照しながら説明する。
図１は、本発明の第１実施形態に係るクエリ判定装置１０の機能構成図を示す図である。
【００１７】
本実施形態は、コンピュータ及びその周辺装置に適用される。本実施形態における各部は、コンピュータ及びその周辺装置が備えるハードウェア並びに当該ハードウェアを制御するソフトウェアによって構成される。
【００１８】
上記ハードウェアには、制御部としてのＣＰＵ（Ｃｅｎｔｒａｌ  Ｐｒｏｃｅｓｓｉｎｇ  Ｕｎｉｔ）の他、記憶部、通信装置、表示装置及び入力装置が含まれる。記憶部としては、例えば、メモリ（ＲＡＭ：Ｒａｎｄｏｍ  Ａｃｃｅｓｓ  Ｍｅｍｏｒｙ、ＲＯＭ：Ｒｅａｄ  Ｏｎｌｙ  Ｍｅｍｏｒｙ等）、ハードディスクドライブ（ＨＤＤ：Ｈａｒｄ  Ｄｉｓｋ  Ｄｒｉｖｅ）及び光ディスク（ＣＤ：Ｃｏｍｐａｃｔ  Ｄｉｓｋ、ＤＶＤ：Ｄｉｇｉｔａｌ  Ｖｅｒｓａｔｉｌｅ  Ｄｉｓｋ等）ドライブが挙げられる。通信装置としては、例えば、各種有線及び無線インターフェース装置が挙げられる。表示装置としては、例えば、液晶ディスプレイやプラズマディスプレイ等の各種ディスプレイが挙げられる。入力装置としては、例えば、キーボード及びポインティング・デバイス（マウス、トラッキングボール等）が挙げられる。
【００１９】
上記ソフトウェアには、上記ハードウェアを制御するコンピュータ・プログラムやデータが含まれる。コンピュータ・プログラムやデータは、記憶部により記憶され、制御部により適宜実行、参照される。また、コンピュータ・プログラムやデータは、通信回線を介して配布されることも可能であり、ＣＤ−ＲＯＭ等のコンピュータ可読媒体に記録して配布されることも可能である。
【００２０】
クエリ判定装置１０は、このクエリ判定装置１０の操作者から直接的な入力を受け付ける操作部１１と、このクエリ判定装置１０の機能に関する情報を表示する表示部１２と、このクエリ判定装置１０を機能させるための各種プログラム（図示省略）、本発明の機能を実行するプログラム（図示省略）等を記憶する記憶部１３と、クエリ判定装置１０に係る各機能を統括的に制御する制御部１４と、を備える。
【００２１】
操作部１１は、例えば、キーボード及びポインティング・デバイス（マウス、トラッキングボール等）により実装される。
表示部１２は、例えば、液晶ディスプレイやプラズマディスプレイ等の各種ディスプレイにより実装される。
【００２２】
記憶部１３は、上述の各種プログラムの他に、Ｗｅｂページの検索に用いられたクエリを検索ログとして記憶する検索ログ記憶手段としての検索ログＤＢ１３１を備える。
【００２３】
図２は、第１実施形態に係る検索ログＤＢ１３１を示す図である。検索ログＤＢ１３１は、ユーザ端末（図示省略）より、Ｗｅｂページの検索を行う検索エンジン（図示省略）に入力されたクエリと、このクエリが検索に用いられた日付とを関連付けたデータを検索ログとして記憶する。この検索ログＤＢ１３１は、検索に用いられたクエリを示すクエリ１３１Ａと、このクエリが検索エンジンに入力された日付を示す検索日付１３１Ｂと、を含む。
【００２４】
図１に戻り、制御部１４は、ＣＰＵ等により構成されており、クエリ判定装置１０の各処理動作の制御や情報の通信制御を行う。この制御部１４は、受付手段としての受付部１４１と、集計手段としての集計部１４２と、分割手段としての分割部１４３と、第１順位付与手段としての第１順位付与部１４４と、第２順位付与手段としての第２順位付与部１４５と、算出手段としての算出部１４６と、判定手段としての判定部１４７と、出力部１４８と、を備える。
【００２５】
受付部１４１は、クエリ判定装置１０の操作者から、操作部１１を介してクエリの入力を受け付ける。
【００２６】
集計部１４２は、検索ログＤＢ１３１を参照して、受付部１４１により受け付けられたクエリの所定期間における検索数を日付ごとに集計する。より具体的には、集計部１４２は、受付部１４１により受け付けられたクエリが検索ログＤＢ１３１に含まれているか否かを判定し、検索ログＤＢ１３１に含まれていると判定した場合に、所定期間におけるクエリの検索数を日付ごとに集計する。
ここで、所定期間は、１ヶ月、６ヶ月、１年といった、比較的長期間でのものである。すなわち、所定期間とは、当該所定期間における検索数の増減に対して、突発的な事件や、出来事についての検索数の増加に、影響を受けにくい長さを有する期間をいう。
【００２７】
分割部１４３は、所定期間を、隣り合う期間同士の一部が重複するように複数の期間に均等に分割する。例えば、所定期間が１月から１２月の１年であり、５つの期間に分割する場合、分割部１４３は、この所定期間を、１月〜４月、３月〜６月、５月〜８月、７〜１０月、９〜１２月に分割する。
なお、重複する期間は、特に限定されるものではない。
【００２８】
第１順位付与部１４４は、複数の期間それぞれの日付ごとの検索数に対して、当該日付の新しいほうから古いほうに順位を付与する。
第２順位付与部１４５は、複数の期間それぞれの日付ごとの検索数に対して、この検索数が多い順に順位を付与する。
つまり、複数の期間それぞれの日付ごとの検索数は、第１順位付与部１４４及び第２順位付与部１４５により、２種類の順位が付される。
【００２９】
算出部１４６は、複数の期間それぞれにおいて、第１順位付与部１４４により付された順位と、第２順位付与部１４５により付された順位との順位相関係数を算出する。具体的には、算出部１４６は、順位相関係数をスピアマンの順位相関係数を用いて算出する。
複数の期間をＮとし、複数の期間それぞれの日付ごとの検索数における、第１順位付与部１４４により付与された順位と、第２順位付与部１４５により付与された順位との差をＤとし、順位相関係数をρとすると、算出部１４６は、下記（１）式を用いて、ρを算出する。
【００３０】
【数１】
2011180722.tif 000003
【００３１】
判定部１４７は、算出部１４６により算出された複数の期間それぞれの順位相関係数が全て第１の値以上である場合、受付部１４１により受け付けられたクエリが、徐々に検索数が上昇しているクエリと判定し、全て第２の値以下である場合、受付部１４１により受け付けられたクエリが、徐々に検索数が下降しているクエリと判定する。また、判定部１４７は、全て第１の値以上ではなく、さらに、全て第２の値以下ではない場合、徐々に検索数が上昇又は下降しているクエリではないと判定する。
【００３２】
なお、順位相関係数が取り得る値は、−１から１である。
ここで、第１の値は、順位相関係数が正の相関であるかを判定するための基準値であり、例えば、０．７である。すなわち、順位相関係数が第１の値以上である場合、順位相関係数の算出に用いた２種類の順位は、順位相関係数の算出に用いた期間において、正の相関を持つと判定される。
【００３３】
また、第２の値は、順位相関係数が負の相関であるかを判定するための基準値であり、例えば、−０．７である。すなわち、順位相関係数が第２の値以下である場合、順位相関係数の算出に用いた２種類の順位は、順位相関係数の算出に用いた期間において、負の相関を持つと判定される。
【００３４】
出力部１４８は、判定部１４７により判定された結果を出力する。具体的には、出力部１４８は、表示部１２に表示させることにより、判定部１４７により判定された結果を出力する。
【００３５】
続いて、クエリ判定装置１０の処理について説明する。図３は、第１実施形態のクエリ判定装置１０の制御部１４における処理を示すフローチャートである。
【００３６】
ステップＳ１において、制御部１４（受付部１４１）は、クエリ判定装置１０の操作者より、操作部１１を介して、クエリの入力を受け付ける。
ステップＳ２において、制御部１４（集計部１４２）は、検索ログＤＢ１３１を参照して、ステップＳ１で受け付けられたクエリの所定期間における検索数を日付ごとに集計する。
【００３７】
ステップＳ３において、制御部１４（分割部１４３）は、所定期間を、隣り合う期間同士の一部が重複するように複数の期間に均等に分割する。
ステップＳ４において、制御部１４（第１順位付与部１４４）は、複数の期間それぞれの日付ごとの検索数に対して、新しい日付順、すなわち、日付の新しいほうから古いほうに順位を付与する。
【００３８】
ステップＳ５において、制御部１４（第２順位付与部１４５）は、複数の期間それぞれの日付ごとの検索数に対して、この検索数の多い順に順位を付与する。
ステップＳ６において、制御部１４（算出部１４６）は、ステップＳ４で第１順位付与部１４４により付された順位と、ステップＳ５で第２順位付与部１４５により付された順位に基づいて、複数の期間それぞれにおける順位相関係数を算出する。
【００３９】
ステップＳ７において、制御部１４（判定部１４７）は、ステップＳ６で算出部１４６により算出された複数の期間それぞれの順位相関係数が全て第１の値以上であるか否かを判定する。制御部１４（判定部１４７）は、この判定がＹＥＳである場合、処理をステップＳ８に移し、この判定がＮＯである場合、処理をステップＳ９に移す。
ステップＳ８では、制御部１４（判定部１４７）は、ステップＳ１において受付部１４１により受け付けられたクエリが、徐々に検索数が上昇しているクエリであると判定する。
【００４０】
ステップＳ９において、制御部１４（判定部１４７）は、ステップＳ６で算出部１４６により算出された複数の期間それぞれの順位相関係数が全て第２の値以下であるか否かを判定する。制御部１４（判定部１４７）は、この判定がＹＥＳである場合、処理をステップＳ１０に移し、この判定がＮＯである場合、処理をステップＳ１１に移す。
【００４１】
ステップＳ１０において、制御部１４（判定部１４７）は、ステップＳ１において受付部１４１により受け付けられたクエリが、徐々に検索数が下降しているクエリであると判定する。
ステップＳ１１において、制御部１４（判定部１４７）は、ステップＳ１において受付部１４１により受け付けられたクエリが、所定期間において検索数が徐々に上昇又は下降しているクエリではないと判定する。
【００４２】
ステップＳ１２において、制御部１４（出力部１４８）は、ステップＳ８、ステップＳ１０及びステップＳ１１にて判定された結果を出力する。この処理が終了すると、制御部１４は処理を終了する。
【００４３】
以上のように、クエリ判定装置１０は、分割部１４３により、所定期間を隣り合う期間同士の一部が重複するように複数の期間に分割する。続いて、クエリ判定装置１０は、第１順位付与部１４４により、複数の期間それぞれの日付ごとの検索数に対して、当該日付の新しいほうから古いほうに順位を付与し、第２順位付与部１４５により、複数の期間それぞれの日付ごとの検索数に対して、検索数が多い順に順位を付与する。続いて、クエリ判定装置１０は、算出部１４６により、複数の期間それぞれにおいて、第１順位付与部１４４により付された順位と、第２順位付与部１４５により付された順位との順位相関係数を算出する。続いて、クエリ判定装置１０は、判定部１４７により、算出部１４６により算出された複数の期間それぞれの順位相関係数が全て第１の値以上である場合、クエリを徐々に検索数が上昇しているクエリと判定し、全て第２の値以下である場合、クエリを徐々に検索数が下降しているクエリと判定する。
【００４４】
つまり、クエリ判定装置１０は、所定期間を複数の期間に分割して順位相関係数を算出し、これらの順位相関係数が第１の値以上（又は第２の値以下）であるかを判定するので、所定期間において、急激に検索数が上昇したり下降したりするクエリを除外できる。よって、クエリ判定装置１０は、検索数が徐々に上昇しているクエリを精度よく判定できる。
また、クエリ判定装置１０は、隣り合う期間同士の一部が重複するように複数の期間を分割するので、期間の区切りの部分における順位の相関も精度よく算出できる。
【００４５】
［第２実施形態］
以下、本発明の実施形態の一例である第２実施形態について図を参照しながら説明する。なお、第１実施形態と同様の構成については、同一の符号を付し、説明を省略又は簡略化する。
【００４６】
図４は、本発明の第２実施形態に係るクエリ判定装置１０ａの機能構成を示す図である。
クエリ判定装置１０ａは、第１実施形態の集計部１４２、第１順位付与部１４４、第２順位付与部１４５及び算出部１４６に代えて、集計部１４２ａ、第１順位付与部１４４ａ、第２順位付与部１４５ａ及び算出部１４６ａを備える。
【００４７】
集計部１４２ａは、検索ログＤＢ１３１を参照して、受付部１４１により受け付けられたクエリの所定期間における検索数を日付ごとに集計する。続いて、集計部１４２ａは、検索ログＤＢ１３１を参照して、全てのクエリの検索数を日付ごとに集計する。続いて、集計部１４２ａは、受付部１４１により受け付けられたクエリの所定期間における日付ごとの検索数を、全てのクエリの日付ごとの検索数で除算して、所定期間におけるクエリの日付ごとのシェア率を算出する。
【００４８】
第１順位付与部１４４ａは、複数の期間それぞれの日付ごとのシェア率に対して、当該日付の新しいほうから古いほうに順位を付与する。
第２順位付与部１４５ａは、複数の期間それぞれの日付ごとのシェア率に対して、このシェア率が多い順に順位を付与する。
【００４９】
算出部１４６ａは、複数の期間それぞれにおいて、第１順位付与部１４４ａにより付された順位と、第２順位付与部１４５ａにより付された順位との順位相関係数を算出する。具体的には、複数の期間それぞれにおいて、複数の期間それぞれの日付ごとのシェア率における、第１順位付与部１４４ａにより付与された順位と、第２順位付与部１４５ａにより付与された順位との順位相関係数を、第１実施形態に示される（１）式を用いて算出する。
【００５０】
図５は、第２実施形態に係るクエリ判定装置１０ａの制御部１４ａにおける処理を示すフローチャートである。
【００５１】
ステップＳ２１は、第１実施形態のステップＳ１と同様であるため、説明を省略する。
ステップＳ２２において、制御部１４ａ（集計部１４２ａ）は、検索ログＤＢ１３１を参照して、受付部１４１により受け付けられたクエリの所定期間における検索数のシェア率を日付ごとに集計する。
ステップＳ２３は、第１実施形態のステップＳ３の処理と同様であるため、説明を省略する。
【００５２】
ステップＳ２４において、制御部１４ａ（第１順位付与部１４４ａ）は、複数の期間それぞれの日付ごとのシェア率に対して、新しい日付順、すなわち、日付の新しいほうから古いほうに順位を付与する。
ステップＳ２５において、制御部１４ａ（第２順位付与部１４５ａ）は、複数の期間それぞれの日付ごとのシェア率に対して、このシェア率の多い順に順位を付与する。
【００５３】
ステップＳ２６において、制御部１４ａ（算出部１４６ａ）は、ステップＳ２４で第１順位付与部１４４ａにより付された日付の順位と、ステップＳ２５で第２順位付与部１４５ａにより付されたシェア率の順位に基づいて、複数の期間それぞれにおける順位相関係数を算出する。
【００５４】
ステップＳ２７からステップＳ３２は、第１実施形態のステップＳ７からステップＳ１２の処理と同様であるため、説明を省略する。
【００５５】
以上のように、クエリ判定装置１０ａは、クエリの日付ごとのシェア率を算出し、シェア率の多い順に順位を付与し、この順位を用いて順位相関係数を算出するので、所定期間において、他のクエリの上昇又は下降に対して相対的に、徐々に上昇しているクエリであるか否かを判定できる。
【００５６】
［第３実施形態］
以下、本発明の実施形態の一例である第３実施形態について図を参照しながら説明する。なお、第１実施形態と同様の構成については、同一の符号を付し、説明を省略又は簡略化する。
【００５７】
図６は、本発明の第３実施形態に係るクエリ判定装置１０ｂの機能構成を示す図である。
クエリ判定装置１０ｂは、第１実施形態の構成に加えて、制御部１４ｂに、移動平均算出部１４９を備える。
【００５８】
移動平均算出部１４９は、集計部１４２により集計された、クエリの日付ごとの検索数の移動平均を算出する。例えば、移動平均算出部１４９は、クエリの日付ごとの検索数について、ｎ日間の移動平均を算出する。なお、移動平均において平均値をとるための日数は、例えば、７日等、検索数に周期性が確認できる範囲で算出することが好ましいが、これに限らず、その他の日数であってもよい。
【００５９】
図７は、第３実施形態に係るクエリ判定装置１０ｂの制御部１４ｂにおける処理を示すフローチャートである。
【００６０】
ステップＳ４１及びステップＳ４２は、第１実施形態のステップＳ１及びステップＳ２と同様であるため、説明を省略する。
【００６１】
ステップＳ４３において、制御部１４ｂ（移動平均算出部１４９）は、ステップＳ４２において集計部１４２により集計された、クエリの日付ごとの検索数の移動平均値を算出し、この移動平均値を、当該クエリの日付ごとの検索数とする。
【００６２】
ステップＳ４４からステップＳ５３は、第１実施形態のステップＳ３からステップＳ１２と同様であるため、説明を省略する。
【００６３】
以上のように、クエリ判定装置１０ｂは、所定期間におけるクエリの日付ごとの検索数の移動平均を算出するので、所定期間において周期的に発生する検索数のゆらぎを平滑化できる。よって、クエリ判定装置１０ｂは、この平滑化した所定期間における日付ごとの検索数を複数の期間に分割して、順位相関係数を算出するので、検索数のゆらぎを除いて順位相関係数を算出できる。
【００６４】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６５】
１０、１０ａ、１０ｂ  クエリ判定装置
１１  操作部
１２  表示部
１３  記憶部
１４、１４ａ、１４ｂ  制御部
２０  管理者端末
１３１  検索ログＤＢ
１４１  受付部
１４２、１４２ａ  集計部
１４３  分割部
１４４、１４４ａ  第１順位付与部
１４５、１４５ａ  第２順位付与部
１４６、１４６ａ  算出部
１４７  判定部
１４８  出力部
１４９  移動平均算出部
【図１】
2011180722.tif 000004
【図２】
2011180722.tif 000005
【図３】
2011180722.tif 000006
【図４】
2011180722.tif 000007
【図５】
2011180722.tif 000008
【図６】
2011180722.tif 000009
【図７】
2011180722.tif 000010